(57)【要約】      （修正有）【課題】キーコードでの注文に短納期にて対応可能であり、錠を構成する部品の在庫負担を軽減し、持ち主のみシリンダーの取り外しと取り換えが可能で、シリンダーが破損し使用不可となった錠を廃棄することなく資源の再利用が可能なシリンダー錠付ダイヤル南京錠を提供する。【解決手段】ダイヤル南京錠と、シリンダープラグと、開錠キーとから構成される。ダイヤル南京錠は、半割状の表面体１０と裏面体２０が互いの内側面で固着されてなる本体部３０と、本体部３０の一側３１内面側に設けられた嵌入孔と凹部に取り付けられるシャックルＣの長脚部Ｃ１と、シャックルＣの長脚部Ｃ１の下方において水平方向に回転可能に取り付けられる複数のダイヤルリングＤ１と、本体部３０の他側３２内面側に設けられたシリンダープラグ装填用の貫通孔とからなる。【選択図】図１
0003169285.tif 000002
【実用新案登録請求の範囲】
【請求項１】
シリンダー付ダイヤル南京錠において、
半割状の表面体と裏面体が互いの内側面で固着されてなる本体部と、
前記本体部の一側内面側に設けられた嵌入孔と凹部に取り付けられるシャックルの長脚部と、
前記シャックルの長脚部の下方において水平方向に回転可能に取り付けられる複数のダイヤルリングと、
前記本体部の他側内面側に設けられたシリンダープラグ装填用の貫通孔と、
から構成されたダイヤル南京錠だけを完成させて在庫しておき、
シリンダー側は部品で在庫し、お客様からの注文に応じてシリンダー錠を完成し、
当該シリンダー錠は、前記本体部に組込・解放手段を介して組み込み又は解放可能とされている、
ことを特徴とするシリンダー付ダイヤル南京錠。
【請求項２】
請求項１に記載のシリンダー付ダイヤル南京錠にあって、
前記本体部を構成する表面体と裏面体は、機械的手段、電気的手段又は化学的手段によって固着されている、
ことを特徴とするシリンダー付ダイヤル南京錠。
【請求項３】
請求項１又は請求項２の何れかに記載のシリンダー付ダイヤル南京錠にあって、
前記組込・解放手段は、前記本体部における表面体又は裏面体の何れかの位置に設けられている、
ことを特徴とするシリンダー付ダイヤル南京錠。
【請求項４】
請求項１又は請求項３の何れかに記載のシリンダー付ダイヤル南京錠にあって、
施錠・開錠機構を設定したシリンダープラグは前記本体部の貫通孔に装填され、
開錠キーを持っている者（持ち主）だけがシリンダーを操作して前記本体部から取り外すことができる構成としている、
ことを特徴とするシリンダー付ダイヤル南京錠。
【考案の詳細な説明】
【技術分野】
【０００１】  本考案はシリンダー付ダイヤル南京錠に関し、詳しくは南京錠に不測の事態等が起きたとき、持ち主は簡易な操作で錠からシリンダーを取り外し、取り替えが可能なシリンダー付ダイヤル南京錠に関する。
【背景技術】
【０００２】  シリンダー錠とダイヤル錠を組み合わせてなる南京錠に関して、顧客より例えば、「希望のシリンダーのキーコードで○○個の数量を取り揃えて欲しい」との要望が寄せられる場合がある。ダイヤル錠の製造及び輸入の大半は海外の企業に依存しているのが現状である。またシリンダーの鍵違いが多いことから顧客の要望に応えるためには膨大な在庫をしておく必要があり、受注時に顧客が希望するキーコードの在庫がなければ製品納入までに長期間を要することになる。さらにダイヤル錠製造の発注を海外企業に多量に行った場合、製品の輸入時には各種の問題が起きるので、発注元の企業の財務内容を圧迫し、製品価格の上昇に繋がる結果となっていた。また他の顧客から「シリンダーのキーをなくし、第３者が持っている可能性があり、安全のために新たに買い替えたい」との問い合わせがあったとき、顧客サービスとして早急にこれに対応しなければならない。【０００３】  シリンダー錠とダイヤル錠を組み合わせてなる南京錠として、例えば、特許文献１（第１頁、図１参照）の「南京錠」、特許文献２（第１頁、図１参照）の「南京錠」等が開示されている。しかし、これらの特許文献では、顧客から寄せられる上記各種の要望や問い合わせ等への即応性、対応性等を含む顧客サービスの観点から十分とはいえないものである。
【先行技術文献】
【特許文献】
【０００４】
【特許文献１】特開平７−２１７２９４号公報
【特許文献２】特開平７−２１７２９３号公報
【考案の概要】
【考案が解決しようとする課題】
【０００５】  従来のシリンダー付ダイヤル南京錠の製造においては、シリンダー錠とダイヤル錠の組立作業は同時進行で行われていたので、顧客から上記のような、「希望のシリンダーのキーコードによる受注」があったときは、これに対応できない。また「シリンダーキーを紛失したので買い替えたい」との要望や問い合わせ等に対応し、顧客の負担を軽くし、かつ、細やかな顧客サービスの提供が可能なシリンダー付ダイヤル南京錠の開発が待たれていた。そこで、本考案が解決しようとする第１の課題は、お客様希望のキーコードでの注文に短納期にて対応可能なシリンダー付ダイヤル南京錠の提供である。第２の課題は、錠を構成する部品の在庫負担の軽減である。第３の課題は、シリンダー付ダイヤル南京錠の持ち主のみシリンダーの取り外しと取り換えが可能なシリンダー付ダイヤル南京錠の提供である。第４の課題は、シリンダーが破損し使用不可となった錠を廃棄することなく資源の再利用が可能なシリンダー付ダイヤル南京錠の提供である。
【課題を解決するための手段】
【０００６】  課題を解決するための手段は、本願、実用新案登録請求の範囲の各請求項に記載の考案であり、その具体的な解決手段は、以下の通りである。【０００７】  課題を解決するための第１の考案は、請求項１に記載の考案であり、シリンダー付ダイヤル南京錠において、半割状の表面体と裏面体が互いの内側面で固着されてなる本体部と、前記本体部の一側内面側に設けられた嵌入孔と凹部に取り付けられるシャックルの長脚部と、前記シャックルの長脚部の下方において水平方向に回転可能に取り付けられる複数のダイヤルリングと、前記本体部の他側内面側に設けられたシリンダープラグ装填用の貫通孔と、から構成されたダイヤル南京錠だけを完成させて在庫しておき、シリンダー側は部品で在庫し、お客様からの注文に応じてシリンダー錠を完成し、当該シリンダー錠は、前記本体部に組込・解放手段を介して組み込み又は解放可能とされている、ことを特徴としている。【０００８】  課題を解決するための第２の考案は、請求項２に記載の考案であり、請求項１に記載のシリンダー付ダイヤル南京錠にあって、前記本体部を構成する表面体と裏面体は、機械的手段、電気的手段又は化学的手段によって固着されている、ことを特徴としている。【０００９】  課題を解決するための第３の考案は、請求項３に記載の考案であり、請求項１又は請求項２の何れかに記載のシリンダー付ダイヤル南京錠にあって、前記組込・解放手段は、前記本体部における表面体又は裏面体の何れかの位置に設けられている、ことを特徴としている。【００１０】  課題を解決するための第４の考案は、請求項４に記載の考案であり、請求項１又は請求項３の何れかに記載のシリンダー付ダイヤル南京錠にあって、施錠・開錠機構を設定したシリンダープラグは前記本体部の貫通孔に装填され、開錠キーを持っている者（持ち主）だけがシリンダーを操作して前記本体部から取り外すことができる構成としている、ことを特徴としている。
【考案の効果】
【００１１】  本考案に係る、シリンダー付ダイヤル南京錠は、上記のような特徴的構成要件から構成され、特徴的構成要件に応じた、以下のような本考案特有の効果を奏する。また、上記のような特徴的構成要件から構成された南京錠によれば、本願考案の課題を十分に解決することができた。即ち、第１の考案によれば、「半割状の表面体と裏面体が互いの内側面で固着されてなる本体部と、前記本体部の一側内面側に設けられた嵌入孔と凹部に取り付けられるシャックルの長脚部と、前記シャックルの長脚部の下方において水平方向に回転可能に取り付けられる複数のダイヤルリングを、前記本体部の他側内面側に設けられたシリンダープラグ装填用の貫通孔と、から構成されたダイヤル南京錠だけを完成させて在庫しておき、シリンダー側は部品で在庫し、お客様からの注文に応じてシリンダー錠を完成し、当該シリンダー錠は、前記本体部に組込・解放手段を介して組み込み又は解放可能とされている」という特徴的構成要件により、また、第２の考案によれば、「前記本体部を構成する表面体と裏面体は、機械的手段、電気的手段又は化学的手段によって固着されている」という特徴的構成要件により、お客様希望のキーコードでの注文に短納期にて対応可能なシリンダー付ダイヤル南京錠の提供という第１の課題と、錠を構成する部品の在庫負担の軽減という第２の課題を併せて解決することができた。すなわち、シャックルとダイヤル錠は、本体部に組み込まれ、表面体の丸棒は裏面体の組立用孔に嵌入された後、組み立てられて半製品状態としてストックしておき、顧客からの注文があれば、顧客が希望するキーコードのシリンダープラグを作成して、ダイヤル錠に組み入れ、当該シリンダープラグの所定位置にストッパーピン及びばね材を取り付ければ、シリンダー付ダイヤル南京錠は簡単に完成され、顧客が要望する数量と納期に遅滞することなく納品することができる。またダイヤル錠とシリンダー錠はそれぞれ予め別個に組み立てて在庫しているので、細かい部品の在庫管理等の負担が大幅に軽減できる効果を奏する。【００１２】  第３の考案によれば、「前記組込・解放手段は、前記本体部における表面体又は裏面体の何れかの位置に設けられている」という特徴的構成要件により、また、第４の考案によれば、「施錠・開錠機構を設定したシリンダープラグは前記本体部の貫通孔に装填され、開錠キーを持っている者（持ち主）だけがシリンダーを操作して前記本体部から取り外すことができる構成としている」という特徴的構成要件により、シリンダー付ダイヤル南京錠の持ち主のみシリンダーの取り外しと取り換えが可能なシリンダー付ダイヤル南京錠の提供という第３の課題とシリンダーが破損し使用不可となった錠を廃棄することなく資源の再利用が可能なシリンダー付ダイヤル南京錠の提供という、第４の課題を併せて解決することができた。すなわち、シリンダー錠の開錠キーを紛失したとの連絡がメーカー又は錠販売店にあったとき、メーカー又は錠販売店側は、その顧客に紛失キーを拾得した第三者に不正使用される懼れがあるので、シリンダー錠のキーコード及び開錠キーの取り替えの必要性を説明し、顧客にスペアキーがあるか又はキーコードのメモ等があるかを尋ね、スペア��ーがあれば、これを用いて顧客に裏面体のほぼ中央にあるストッパーピン解除用の連通孔に細い針金等を挿し入れて押し込めば、ストッパーピンが解除され、シリンダープラグを取り出せることを知らせると、顧客自身は貫通孔からシリンダープラグを取り出すことができる。メーカー又は錠販売店側は、取り出されたシリンダープラグについて、新規の開錠キーの溝に適合するディスクタンブラーの高さを調整して再使用することができる。あるいは、顧客にキーコードのメモ等があれば、これに該当する解除キーを顧客に届けるか送付し、これを用いてスペアキーと同様にストッパーピン解除用の連通孔に細い針金等を挿し入れて押し込んで、ストッパーピンを解除し、シリンダープラグを取り出し、メーカー又は錠販売店側は、取り出されたシリンダープラグについて、新規の開錠キーの溝に適合するディスクタンブラーの高さを調整して再使用することができる。これにより、紛失キーを拾得した第三者による不正使用を未然に防止し、錠の持ち主は安心して従来通り使用することができる。したがって、使用不可となった南京錠を破壊したり、廃棄することなく再利用することができ、省資源効果を奏する。
【図面の簡単な説明】
【００１３】
【図１】は、本考案に係る、シリンダー付ダイヤル南京錠の全体斜視図である。
【図２】は、本体部を構成する表面体の６面図で、（イ）は内面側の正面図、（ロ）は左側面図、（ハ）は右側面図、（ニ）は平面図、（ホ）は底面図、（ヘ）は背面図である。
【図３】は、本体部を構成する裏面体の６面図で、（イ）は内面側の正面図、（ロ）は左側面図、（ハ）は右側面図、（ニ）は平面図、（ホ）は底面図、（ヘ）は背面図である。
【図４】は、シャックルの３面図で、（イ）は正面図、（ロ）は右側面図、（ハ）は底面図である。
【図５】は、軸体の４面図で、（イ）は正面図、（ロ）は右側面図、（ハ）は平面図、（ニ）は底面図である。
【図６】は、軸カムの５面図である。
【図７】（イ）は、ダイヤルリングの正面図、（ロ）は同平面図である。
【図８】は、ダイヤルカムの５面図である。
【図９】は、板ばねの４面図である。
【図１０】は、本体部の一側内面側にシャックルとダイヤル錠を取り付けた施錠状態の正面図である。
【図１１】は、同開錠状態の正面図である。
【図１２】は、シリンダープラグの４面図で、（イ）は正面図、（ロ）は平面図、（ハ）は底面図、（ニ）は（ロ）におけるＡ−Ａ断面図である。
【図１３】は、本体部の他側内面側に設けた貫通孔にシリンダープラグを装填する前の要部断面分解図である。
【図１４】は、本体部の他側内面側にシリンダー錠を施錠したときの要部断面図である。
【図１５】（イ）は、同開錠状態の正面図、（ロ）は、同開錠状態のシリンダープラグの断面図である。
【図１６】（イ）、（ロ）は、シリンダープラグに穿設されたストッパーピン取付孔にストッパーピン及びばね材を取り付け状態の説明図である。
【考案を実施するための形態】
【００１４】  図１は、本考案に係る、シリンダー付ダイヤル南京錠Ｎの全体を示し、本体部３０は、図示するように半割状の表面体１０と裏面体２０が互いの内側面で固着された構成となっている。Ｃはシャックルで、当該シャックルＣの長脚部Ｃ１は、本体部３０の一側３１内面側に設けられた嵌入孔１１と凹部１２（図２、参照）に取り付けられ、ダイヤル錠ＤのダイヤルリングＤ１の回転によって施錠・開錠が行われる。Ｋはシリンダー錠Ｓの開錠キーである。
【００１５】  図２は、本体部３０を構成する表面体１０の詳細を示している。１１はシャックルＣを装着する嵌入孔で、１２は軸体Ｇの軸カムＧ１を取り付けるための凹部である。１３、１４は、表面体１０と裏面体２０を機械的に固着（カシメ）するための表面体の中央上部及び中央下部に突設された丸棒で、１５はダイヤルリングＤ１が取り付けられる開口である。図３は、本体部３０を構成する裏面体２０の詳細を示し、表面体１０の構造に対応するようになっている。２１はシャックルＣを装着する嵌入孔で、２２は軸体Ｇを取り付けるための凹部である。２３、２４は表面体の丸棒１３、１４が挿入され、表面体１０と裏面体２０を一体化して本体部３０を構成するための組立用孔で、２５はダイヤルリングＤ１が取り付けられる開口である。
【００１６】  図４〜図９は、ダイヤル錠Ｄを構成する部材を示している。図４はシャックルＣで、ほぼ逆Ｊ字状を呈した長脚部Ｃ１と短脚部Ｃ２からなり、長脚部Ｃ１の下端には図５に示す軸体Ｇの頂部Ｇ１に形成された軸孔Ｇ２に係止する係止部Ｃ１ａが形成され、その上方には突起Ｃ１ｂが形成されている。図５は軸体Ｇを示し、頂部Ｇ１には軸孔Ｇ２が設けられ、軸部Ｇ３には複数の係止突起Ｇ４が設けられ、後述する複数のダイヤルリングＤ１に係止される。図６は軸カムＧ５を示し、軸体Ｇの頂部Ｇ１の下部に係合され、シャックルＣの昇降を規制するものである。図７はダイヤルリングＤ１で表面体１０と裏面体２０に設けられた複数の開口１５、２５に取り付けられる。図８はダイヤルカムＤ２で、ダイヤルリングＤ１の内側にそれぞれ取り付けられる。図９は板ばねＢで、表面体１０と裏面体２０に設けられた板ばね凹部Ｂ１（図１０、図１１参照）に取り付けられ、ダイヤルリングＤ１の外周面に係合される。
【００１７】  図１０は、本体部３０の一側３１の内面側にシャックルＣとダイヤル錠Ｄを取り付けた施錠状態を示している。ダイヤル錠Ｄは、ダイヤルリングＤ１、ダイヤルカムＤ２を表面体１０の開口１５にそれぞれ取り付けられ、リング孔Ｄ１ａには軸体Ｇが挿入される。軸体Ｇの軸孔Ｇ２にはシャックルＣの係止部Ｃ１ａが係止される。Ｂ１０は、上ばね材で、シャックルＣの長脚部Ｃ１に巻装され軸体Ｇの頂部Ｇ１に取り付けられ、下ばね材Ｂ２０に抗してシャックルＣを下方に付勢して施錠状態となっている。
【００１８】  図１１は、ダイヤル錠Ｄの開錠状態を示し、予め設定されたダイヤルリングＤ１の暗証番号を順次回転させて合致させると、シャックルＣの長脚部Ｃ１及び短脚部Ｃ２は、上方に上昇して開錠される構成となっている。
【００１９】  図１２は、シリンダー錠Ｓを構成するシリンダープラグＳＰを示している。シリンダープラグＳＰの頂部にはシャックルＣの短脚部Ｃ２が出没する嵌入孔ＳＰ２が穿設されている。ＳＰ３はディスクタンブラー挿入用のスリットで複数設けれている。ＳＰ４は開錠キーＫの差込孔、ＳＰ５はストッパーピンＰ及びばね材Ｐｂ（図１３、図１６参照）を取り付けるための取付孔である。ＳＰ６は摺動用凸部で貫通孔ＳＰ１の外周壁面に設けた摺動溝ＳＰ１ａをシリンダー錠Ｓの施錠・開錠時、上下にスライドするようになっている。図１３は、本体部３０の他側３２の内面側に設けた貫通孔ＳＰ１にシリンダープラグＳＰを装填する前の要部を断面して示している。
【００２０】  図１４は、ダイヤル錠を本体部３０の一側３１内面側に装着し、本体部３０の他側３２内面側にはシリンダー錠Ｓを施錠した状態を示している。シャックルＣの短脚部Ｃ２は、シリンダープラグＳＰの嵌入孔ＳＰ２に没入している。ＳＰ７はディスクタンブラーで、スリットＳＰ３に所定の溝を刻設した開錠キーＫに係合されている。
【００２１】  図１５（イ）は、シリンダー錠Ｓを開錠した状態を示している。シリンダー錠Ｓを開錠するには、開錠キーＫを図１４の状態から９０°回転させて下方に引き下げるとシリンダープラグＳＰの嵌入孔ＳＰ２からシャックルＣの短脚部Ｃ２が外れ、ダイヤルリングＤ１の暗証番号を順次回転させると、ダイヤル錠Ｄも開錠されるようになっている。
【００２２】  図１６（イ）は、シリンダープラグＳＰに穿設されたストッパーピン取付孔ＳＰ５にストッパーピンＰ及びばね材Ｐｂを取り付ける状態を示し、（ロ）は、取り付けた状態を示している。例えば、顧客から「シリンダー錠の開錠キーを紛失した」との連絡がメーカー又は錠販売店にあったとき、メーカー又は錠販売店側は、その顧客に紛失キーを拾得した第三者に不正使用される懼れがあるので、シリンダー錠のキーコード及び開錠キーの取り替えの必要性を説明し、顧客にスペアキーがあるか又はキーコードのメモ等があるかを尋ね、スペアキーがあれば、これを用いて顧客に裏面体２０のほぼ中央にあるストッパーピンＰ解除用の直径約１ｍｍの連通孔２６ａに細い針金（不図示）等を挿し入れて押し込めば、ストッパーピンＰが解除され、シリンダープラグＳＰを取り出せることを知らせると、顧客自身は貫通孔ＳＰ１からシリンダープラグＳＰを取り出すことができる。メーカー又は錠販売店側は、取り出されたシリンダープラグＳＰについて、新規の開錠キーＫの溝に適合するディスクタンブラーＳＰ７の高さを調整して再使用することができる。あるいは、顧客にキーコードのメモ等があれば、これに該当する解除キーＫを顧客に届けるか送付し、これを用いてスペアキーと同様にストッパーピンＰ解除用の連通孔２６ａに細い針金等を挿し入れて押し込んで、ストッパーピンＰを解除し、シリンダーフラグＳＰを取り出し、メーカー又は錠販売店側は、取り出されたシリンダープラグＳＰについて、新規の開錠キーＫの溝に適合するディスクタンブラーＳＰ７の高さを調整して再使用することができる。これにより、紛失キーを拾得した第三者による不正使用を未然に防止し、錠Ｎの持ち主は安心して従来通り使用することができる。
【００２３】  また顧客から同種製品の注文と早急な納期を要請されたとき、図１１及び図１２に図示するようなシャックルＣをダイヤル錠Ｄに組み込んだ状態でストックしておけば、顧客からの注文と早急な納期の要請にも容易に対応することができ、業績と業界における信用向上という大きな効果を奏することができる。
【００２４】  以上、本考案のシリンダー付ダイヤル南京錠について、その実施形態に基づいて説明したが、本考案は、上記実施形態に記載した構成に限定されるものではなく、その趣旨を逸脱しない範囲において適宜その構成を変更することができる。
【符号の説明】
【００２５】  Ｎ・・・南京錠、Ｄ・・・ダイヤル錠、Ｄ１・・・ダイヤルリング、Ｄ１ａ・・・リング孔、Ｄ２・・・ダイヤルカム、Ｃ・・・シャックル、Ｃ１・・・長脚部、Ｃ２・・・短脚部、Ｇ・・・軸体、Ｇ１・・・頂部、Ｇ２・・・軸孔、Ｇ３・・・軸部、Ｇ４・・・係止突起、Ｇ５・・・軸カム、Ｂ・・・板ばね、Ｂ１・・・板ばね凹部、Ｓ・・・シリンダー錠、ＳＰ・・・シリンダープラグ、ＳＰ１・・・貫通孔、ＳＰ１ａ・・・摺動溝、ＳＰ２・・・嵌入孔、ＳＰ３・・・スリット、ＳＰ４・・・差込孔、ＳＰ５・・・取付孔、ＳＰ６・・・摺動用凸部、ＳＰ７・・・ディスクタンブラー、Ｐ・・・ストッパーピン、Ｐｂ・・・ばね材、Ｋ・・・開錠キー、１０・・・表面体、１１・・・嵌入孔、１２・・・凹部、１３、１４・・・丸棒、１５・・・開口、２０・・・裏面体、２１・・・嵌入孔、２２・・・凹部、２３、２４・・・組立用孔、２５・・・開口、２６・・・取付孔、２６ａ・・・連通孔、３０・・・本体部、３１・・・一側、３２・・・他側
【図１】
0003169285.tif 000003
【図２】
0003169285.tif 000004
【図３】
0003169285.tif 000005
【図４】
0003169285.tif 000006
【図５】
0003169285.tif 000007
【図６】
0003169285.tif 000008
【図７】
0003169285.tif 000009
【図８】
0003169285.tif 000010
【図９】
0003169285.tif 000011
【図１０】
0003169285.tif 000012
【図１１】
0003169285.tif 000013
【図１２】
0003169285.tif 000014
【図１３】
0003169285.tif 000015
【図１４】
0003169285.tif 000016
【図１５】
0003169285.tif 000017
【図１６】
0003169285.tif 000018
【手続補正書】
【提出日】平成23年4月25日(2011.4.25)
【手続補正１】
【補正対象書類名】実用新案登録請求の範囲
【補正対象項目名】全文
【補正方法】変更
【補正の内容】
【実用新案登録請求の範囲】
【請求項１】
シリンダー錠付ダイヤル南京錠において、
半割状の表面体と裏面体が互いの内側面で固着されてなる本体部と、
前記本体部の一側内面側に設けられた嵌入孔と凹部に取り付けられるシャックルの長脚部と、
前記シャックルの長脚部の下方において水平方向に回転可能に取り付けられる複数のダイヤルリングと、
前記本体部の他側内面側に設けられたシリンダープラグ装填用の貫通孔と、
からなるダイヤル南京錠と、
頂部にシャックルの短脚部が没入する嵌入孔を穿設し、外周面にディスクタンブラー挿入用のスリットを複数設け、下方に開錠キーの差込孔を設け、軸部のほぼ中央にはストッパーピン及びばね材の取付孔を水平方向に穿設してなるシリンダープラグと、
前記シリンダープラグの差込孔に差し込まれ、当該シリンダープラグの昇降を操作する開錠キーと、
から構成されていることを特徴とするシリンダー錠付ダイヤル南京錠。
【請求項２】
請求項１に記載のシリンダー錠付ダイヤル南京錠にあって、
前記本体部を構成する表面体と裏面体は、機械的手段、電気的手段又は化学的手段によって固着されている、
ことを特徴とするシリンダー錠付ダイヤル南京錠。
【請求項３】
請求項１又は請求項２の何れかに記載のシリンダー錠付ダイヤル南京錠にあって、
前記組込・解放手段は、前記本体部における表面体又は裏面体の何れかの位置に設けられている、
ことを特徴とするシリンダー錠付ダイヤル南京錠。
【請求項４】
請求項１又は請求項３の何れかに記載のシリンダー錠付ダイヤル南京錠にあって、
施錠・開錠機構を設定したシリンダープラグは前記本体部の貫通孔に装填され、
開錠キーを持っている者（持ち主）だけがシリンダーを操作して前記本体部から取り外すことができる構成としている、
ことを特徴とするシリンダー錠付ダイヤル南京錠。
【手続補正２】
【補正対象書類名】明細書
【補正対象項目名】全文
【補正方法】変更
【補正の内容】
【考案の詳細な説明】
【技術分野】
【０００１】  本考案はシリンダー錠付ダイヤル南京錠に関し、詳しくは南京錠に不測の事態等が起きたとき、持ち主は簡易な操作で錠からシリンダーを取り外し、取り替えが可能なシリンダー錠付ダイヤル南京錠に関する。
【背景技術】
【０００２】  シリンダー錠とダイヤル錠を組み合わせてなる南京錠に関して、顧客より例えば、「希望のシリンダーのキーコードで○○個の数量を取り揃えて欲しい」との要望が寄せられる場合がある。ダイヤル錠の製造及び輸入の大半は海外の企業に依存しているのが現状である。またシリンダーの鍵違いが多いことから顧客の要望に応えるためには膨大な在庫をしておく必要があり、受注時に顧客が希望するキーコードの在庫がなければ製品納入までに長期間を要することになる。さらにダイヤル錠製造の発注を海外企業に多量に行った場合、製品の輸入時には各種の問題が起きるので、発注元の企業の財務内容を圧迫し、製品価格の上昇に繋がる結果となっていた。また他の顧客から「シリンダーのキーをなくし、第３者が持っている可能性があり、安全のために新たに買い替えたい」との問い合わせがあったとき、顧客サービスとして早急にこれに対応しなければならない。【０００３】  シリンダー錠とダイヤル錠を組み合わせてなる南京錠として、例えば、特許文献１（第１頁、図１参照）の「南京錠」、特許文献２（第１頁、図１参照）の「南京錠」等が開示されている。しかし、これらの特許文献では、顧客から寄せられる上記各種の要望や問い合わせ等への即応性、対応性等を含む顧客サービスの観点から十分とはいえないものである。
【先行技術文献】
【特許文献】
【０００４】
【特許文献１】特開平７−２１７２９４号公報
【特許文献２】特開平７−２１７２９３号公報
【考案の概要】
【考案が解決しようとする課題】
【０００５】  従来のシリンダー付ダイヤル南京錠の製造においては、シリンダー錠とダイヤル錠の組立作業は同時進行で行われていたので、顧客から上記のような、「希望のシリンダーのキーコードによる受注」があったときは、これに対応できない。また「シリンダーキーを紛失したので買い替えたい」との要望や問い合わせ等に対応し、顧客の負担を軽くし、かつ、細やかな顧客サービスの提供が可能なシリンダー錠付ダイヤル南京錠の開発が待たれていた。そこで、本考案が解決しようとする第１の課題は、お客様希望のキーコードでの注文に短納期にて対応可能なシリンダー錠付ダイヤル南京錠の提供である。第２の課題は、錠を構成する部品の在庫負担の軽減である。第３の課題は、シリンダー錠付ダイヤル南京錠の持ち主のみシリンダーの取り外しと取り換えが可能なシリンダー錠付ダイヤル南京錠の提供である。第４の課題は、シリンダーが破損し使用不可となった錠を廃棄することなく資源の再利用が可能なシリンダー錠付ダイヤル南京錠の提供である。
【課題を解決するための手段】
【０００６】  課題を解決するための手段は、本願、実用新案登録請求の範囲の各請求項に記載の考案であり、その具体的な解決手段は、以下の通りである。【０００７】  課題を解決するための第１の考案は、請求項１に記載の考案であり、シリンダー錠付ダイヤル南京錠において、半割状の表面体と裏面体が互いの内側面で固着されてなる本体部と、前記本体部の一側内面側に設けられた嵌入孔と凹部に取り付けられるシャックルの長脚部と、前記シャックルの長脚部の下方において水平方向に回転可能に取り付けられる複数のダイヤルリングと、前記本体部の他側内面側に設けられたシリンダープラグ装填用の貫通孔と、からなるダイヤル南京錠と、頂部にシャックルの短脚部が没入する嵌入孔を穿設し、外周面にディスクタンブラー挿入用のスリットを複数設け、下方に開錠キーの差込孔を設け、軸部のほぼ中央にはストッパーピン及びばね材の取付孔を水平方向に穿設してなるシリンダープラグと、前記シリンダープラグの差込孔に差し込まれ、当該シリンダープラグの昇降を操作する開錠キーと、から構成されていることを特徴としている。【０００８】  課題を解決するための第２の考案は、請求項２に記載の考案であり、請求項１に記載のシリンダー錠付ダイヤル南京錠にあって、前記本体部を構成する表面体と裏面体は、機械的手段、電気的手段又は化学的手段によって固着されている、ことを特徴としている。【０００９】  課題を解決するための第３の考案は、請求項３に記載の考案であり、請求項１又は請求項２の何れかに記載のシリンダー錠付ダイヤル南京錠にあって、前記組込・解放手段は、前記本体部における表面体又は裏面体の何れかの位置に設けられている、ことを特徴としている。【００１０】  課題を解決するための第４の考案は、請求項４に記載の考案であり、請求項１又は請求項３の何れかに記載のシリンダー錠付ダイヤル南京錠にあって、施錠・開錠機構を設定したシリンダープラグは前記本体部の貫通孔に装填され、開錠キーを持っている者（持ち主）だけがシリンダーを操作して前記本体部から取り外すことができる構成としている、ことを特徴としている。
【考案の効果】
【００１１】  本考案に係る、シリンダー錠付ダイヤル南京錠は、上記のような特徴的構成要件から構成され、特徴的構成要件に応じた、以下のような本考案特有の効果を奏する。また、上記のような特徴的構成要件から構成された南京錠によれば、本願考案の課題を十分に解決することができた。即ち、第１の考案によれば、「シリンダー錠付ダイヤル南京錠において、半割状の表面体と裏面体が互いの内側面で固着されてなる本体部と、前記本体部の一側内面側に設けられた嵌入孔と凹部に取り付けられるシャックルの長脚部と、前記シャックルの長脚部の下方において水平方向に回転可能に取り付けられる複数のダイヤルリングと、前記本体部の他側内面側に設けられたシリンダープラグ装填用の貫通孔と、からなるダイヤル南京錠と、頂部にシャックルの短脚部が没入する嵌入孔を穿設し、外周面にディスクタンブラー挿入用のスリットを複数設け、下方に開錠キーの差込孔を設け、軸部のほぼ中央にはストッパーピン及びばね材の取付孔を水平方向に穿設してなるシリンダープラグと、前記シリンダープラグの差込孔に差し込まれ、当該シリンダープラグの昇降を操作する開錠キーと、から構成されている」という特徴的構成要件により、また、第２の考案によれば、「前記本体部を構成する表面体と裏面体は、機械的手段、電気的手段又は化学的手段によって固着されている」という特徴的構成要件により、お客様希望のキーコードでの注文に短納期にて対応可能なシリンダー錠付ダイヤル南京錠の提供という第１の課題と、錠を構成する部品の在庫負担の軽減という第２の課題を併せて解決することができた。すなわち、シャックルとダイヤル錠は、本体部に組み込まれ、表面体の丸棒は裏面体の組立用孔に嵌入された後、組み立てられて半製品状態としてストックしておき、顧客からの注文があれば、顧客が希望するキーコードのシリンダープラグを作成して、ダイヤル錠に組み入れ、当該シリンダープラグの所定位置にストッパーピン及びばね材を取り付ければ、シリンダー錠付ダイヤル南京錠は簡単に完成され、顧客が要望する数量と納期に遅滞することなく納品することができる。またダイヤル錠とシリンダー錠はそれぞれ予め別個に組み立てて在庫しているので、細かい部品の在庫管理等の負担が大幅に軽減できる効果を奏する。【００１２】  第３の考案によれば、「前記組込・解放手段は、前記本体部における表面体又は裏面体の何れかの位置に設けられている」という特徴的構成要件により、また、第４の考案によれば、「施錠・開錠機構を設定したシリンダープラグは前記本体部の貫通孔に装填され、開錠キーを持っている者（持ち主）だけがシリンダーを操作して前記本体部から取り外すことができる構成としている」という特徴的構成要件により、シリンダー錠付ダイヤル南京錠の持ち主のみシリンダーの取り外しと取り換えが可能なシリンダー錠付ダイヤル南京錠の提供という第３の課題とシリンダーが破損し使用不可となった錠を廃棄することなく資源の再利用が可能なシリンダー錠付ダイヤル南京錠の提供という、第４の課題を併せて解決することができた。すなわち、シリンダー錠の開錠キーを紛失したとの連絡がメーカー又は錠販売店にあったとき、メーカー又は錠販売店側は、その��客に紛失キーを拾得した第三者に不正使用される懼れがあるので、シリンダー錠のキーコード及び開錠キーの取り替えの必要性を説明し、顧客にスペアキーがあるか又はキーコードのメモ等があるかを尋ね、スペアキーがあれば、これを用いて顧客に裏面体のほぼ中央にあるストッパーピン解除用の連通孔に細い針金等を挿し入れて押し込めば、ストッパーピンが解除され、シリンダープラグを取り出せることを知らせると、顧客自身は貫通孔からシリンダープラグを取り出すことができる。メーカー又は錠販売店側は、取り出されたシリンダープラグについて、新規の開錠キーの溝に適合するディスクタンブラーの高さを調整して再使用することができる。あるいは、顧客にキーコードのメモ等があれば、これに該当する解除キーを顧客に届けるか送付し、これを用いてスペアキーと同様にストッパーピン解除用の連通孔に細い針金等を挿し入れて押し込んで、ストッパーピンを解除し、シリンダープラグを取り出し、メーカー又は錠販売店側は、取り出されたシリンダープラグについて、新規の開錠キーの溝に適合するディスクタンブラーの高さを調整して再使用することができる。これにより、紛失キーを拾得した第三者による不正使用を未然に防止し、錠の持ち主は安心して従来通り使用することができる。したがって、使用不可となった南京錠を破壊したり、廃棄することなく再利用することができ、省資源効果を奏する。
【図面の簡単な説明】
【００１３】
【図１】は、本考案に係る、シリンダー錠付ダイヤル南京錠の全体斜視図である。
【図２】は、本体部を構成する表面体の６面図で、（イ）は内面側の正面図、（ロ）は左側面図、（ハ）は右側面図、（ニ）は平面図、（ホ）は底面図、（ヘ）は背面図である。
【図３】は、本体部を構成する裏面体の６面図で、（イ）は内面側の正面図、（ロ）は左側面図、（ハ）は右側面図、（ニ）は平面図、（ホ）は底面図、（ヘ）は背面図である。
【図４】は、シャックルの３面図で、（イ）は正面図、（ロ）は右側面図、（ハ）は底面図である。
【図５】は、軸体の４面図で、（イ）は正面図、（ロ）は右側面図、（ハ）は平面図、（ニ）は底面図である。
【図６】は、軸カムの５面図である。
【図７】（イ）は、ダイヤルリングの正面図、（ロ）は同平面図である。
【図８】は、ダイヤルカムの５面図である。
【図９】は、板ばねの４面図である。
【図１０】は、本体部の一側内面側にシャックルとダイヤル錠を取り付けた施錠状態の正面図である。
【図１１】は、同開錠状態の正面図である。
【図１２】は、シリンダープラグの４面図で、（イ）は正面図、（ロ）は平面図、（ハ）は底面図、（ニ）は（ロ）におけるＡ−Ａ断面図である。
【図１３】は、本体部の他側内面側に設けた貫通孔にシリンダープラグを装填する前の要部断面分解図である。
【図１４】は、本体部の他側内面側にシリンダー錠を施錠したときの要部断面図である。
【図１５】（イ）は、同開錠状態の正面図、（ロ）は、同開錠状態のシリンダープラグの断面図である。
【図１６】（イ）、（ロ）は、シリンダープラグに穿設されたストッパーピン取付孔にストッパーピン及びばね材を取り付け状態の説明図である。
【考案を実施するための形態】
【００１４】  図１は、本考案に係る、シリンダー錠付ダイヤル南京錠Ｎの全体を示し、本体部３０は、図示するように半割状の表面体１０と裏面体２０が互いの内側面で固着された構成となっている。Ｃはシャックルで、当該シャックルＣの長脚部Ｃ１は、本体部３０の一側３１内面側に設けられた嵌入孔１１と凹部１２（図２、参照）に取り付けられ、ダイヤル錠ＤのダイヤルリングＤ１の回転によって施錠・開錠が行われる。Ｋはシリンダー錠Ｓの開錠キーである。
【００１５】  図２は、本体部３０を構成する表面体１０の詳細を示している。１１はシャックルＣを装着する嵌入孔で、１２は軸体Ｇの軸カムＧ１を取り付けるための凹部である。１３、１４は、表面体１０と裏面体２０を機械的に固着（カシメ）するための表面体の中央上部及び中央下部に突設された丸棒で、１５はダイヤルリングＤ１が取り付けられる開口である。図３は、本体部３０を構成する裏面体２０の詳細を示し、表面体１０の構造に対応するようになっている。２１はシャックルＣを装着する嵌入孔で、２２は軸体Ｇを取り付けるための凹部である。２３、２４は表面体の丸棒１３、１４が挿入され、表面体１０と裏面体２０を一体化して本体部３０を構成するための組立用孔で、２５はダイヤルリングＤ１が取り付けられる開口である。
【００１６】  図４〜図９は、ダイヤル錠Ｄを構成する部材を示している。図４はシャックルＣで、ほぼ逆Ｊ字状を呈した長脚部Ｃ１と短脚部Ｃ２からなり、長脚部Ｃ１の下端には図５に示す軸体Ｇの頂部Ｇ１に形成された軸孔Ｇ２に係止する係止部Ｃ１ａが形成され、その上方には突起Ｃ１ｂが形成されている。図５は軸体Ｇを示し、頂部Ｇ１には軸孔Ｇ２が設けられ、軸部Ｇ３には複数の係止突起Ｇ４が設けられ、後述する複数のダイヤルリングＤ１に係止される。図６は軸カムＧ５を示し、軸体Ｇの頂部Ｇ１の下部に係合され、シャックルＣの昇降を規制するものである。図７はダイヤルリングＤ１で表面体１０と裏面体２０に設けられた複数の開口１５、２５に取り付けられる。図８はダイヤルカムＤ２で、ダイヤルリングＤ１の内側にそれぞれ取り付けられる。図９は板ばねＢで、表面体１０と裏面体２０に設けられた板ばね凹部Ｂ１（図１０、図１１参照）に取り付けられ、ダイヤルリングＤ１の外周面に係合される。
【００１７】  図１０は、本体部３０の一側３１の内面側にシャックルＣとダイヤル錠Ｄを取り付けた施錠状態を示している。ダイヤル錠Ｄは、ダイヤルリングＤ１、ダイヤルカムＤ２を表面体１０の開口１５にそれぞれ取り付けられ、リング孔Ｄ１ａには軸体Ｇが挿入される。軸体Ｇの軸孔Ｇ２にはシャックルＣの係止部Ｃ１ａが係止される。Ｂ１０は、上ばね材で、シャックルＣの長脚部Ｃ１に巻装され軸体Ｇの頂部Ｇ１に取り付けられ、下ばね材Ｂ２０に抗してシャックルＣを下方に付勢して施錠状態となっている。
【００１８】  図１１は、ダイヤル錠Ｄの開錠状態を示し、予め設定されたダイヤルリングＤ１の暗証番号を順次回転させて合致させると、シャックルＣの長脚部Ｃ１及び短脚部Ｃ２は、上方に上昇して開錠される構成となっている。
【００１９】  図１２は、シリンダー錠Ｓを構成するシリンダープラグＳＰを示している。シリンダープラグＳＰの頂部にはシャックルＣの短脚部Ｃ２が出没する嵌入孔ＳＰ２が穿設されている。ＳＰ３はディスクタンブラー挿入用のスリットで複数設けれている。ＳＰ４は開錠キーＫの差込孔、ＳＰ５はストッパーピンＰ及びばね材Ｐｂ（図１３、図１６参照）を取り付けるための取付孔である。ＳＰ６は摺動用凸部で貫通孔ＳＰ１の外周壁面に設けた摺動溝ＳＰ１ａをシリンダー錠Ｓの施錠・開錠時、上下にスライドするようになっている。図１３は、本体部３０の他側３２の内面側に設けた貫通孔ＳＰ１にシリンダープラグＳＰを装填する前の要部を断面して示している。
【００２０】  図１４は、ダイヤル錠を本体部３０の一側３１内面側に装着し、本体部３０の他側３２内面側にはシリンダー錠Ｓを施錠した状態を示している。シャックルＣの短脚部Ｃ２は、シリンダープラグＳＰの嵌入孔ＳＰ２に没入している。ＳＰ７はディスクタンブラーで、スリットＳＰ３に所定の溝を刻設した開錠キーＫに係合されている。
【００２１】  図１５（イ）は、シリンダー錠Ｓを開錠した状態を示している。シリンダー錠Ｓを開錠するには、開錠キーＫを図１４の状態から９０°回転させて下方に引き下げるとシリンダープラグＳＰの嵌入孔ＳＰ２からシャックルＣの短脚部Ｃ２が外れ、ダイヤルリングＤ１の暗証番号を順次回転させると、
ダイヤル錠Ｄも開錠されるようになっている。
【００２２】  図１６（イ）は、シリンダープラグＳＰに穿設されたストッパーピン取付孔ＳＰ５にストッパーピンＰ及びばね材Ｐｂを取り付ける状態を示し、（ロ）は、取り付けた状態を示している。例えば、顧客から「シリンダー錠の開錠キーを紛失した」との連絡がメーカー又は錠販売店にあったとき、メーカー又は錠販売店側は、その顧客に紛失キーを拾得した第三者に不正使用される懼れがあるので、シリンダー錠のキーコード及び開錠キーの取り替えの必要性を説明し、顧客にスペアキーがあるか又はキーコードのメモ等があるかを尋ね、スペアキーがあれば、これを用いて顧客に裏面体２０のほぼ中央にあるストッパーピンＰ解除用の直径約１ｍｍの連通孔２６ａに細い針金（不図示）等を挿し入れて押し込めば、ストッパーピンＰが解除され、シリンダープラグＳＰを取り出せることを知らせると、顧客自身は貫通孔ＳＰ１からシリンダープラグＳＰを取り出すことができる。メーカー又は錠販売店側は、取り出されたシリンダープラグＳＰについて、新規の開錠キーＫの溝に適合するディスクタンブラーＳＰ７の高さを調整して再使用することができる。あるいは、顧客にキーコードのメモ等があれば、これに該当する解除キーＫを顧客に届けるか送付し、これを用いてスペアキーと同様にストッパーピンＰ解除用の連通孔２６ａに細い針金等を挿し入れて押し込んで、ストッパーピンＰを解除し、シリンダープラグＳＰを取り出し、メーカー又は錠販売店側は、取り出されたシリンダープラグＳＰについて、新規の開錠キーＫの溝に適合するディスクタンブラーＳＰ７の高さを調整して再使用することができる。これにより、紛失キーを拾得した第三者による不正使用を未然に防止し、錠Ｎの持ち主は安心して従来通り使用することができる。
【００２３】  また顧客から同種製品の注文と早急な納期を要請されたとき、図１１及び図１２に図示するようなシャックルＣをダイヤル錠Ｄに組み込んだ状態でストックしておけば、顧客からの注文と早急な納期の要請にも容易に対応することができ、業績と業界における信用向上という大きな効果を奏することができる。
【００２４】  以上、本考案のシリンダー錠付ダイヤル南京錠について、その実施形態に基づいて説明したが、本考案は、上記実施形態に記載した構成に限定されるものではなく、その趣旨を逸脱しない範囲において適宜その構成を変更することができる。
【符号の説明】
【００２５】  Ｎ・・・南京錠、Ｄ・・・ダイヤル錠、Ｄ１・・・ダイヤルリング、Ｄ１ａ・・・リング孔、Ｄ２・・・ダイヤルカム、Ｃ・・・シャックル、Ｃ１・・・長脚部、Ｃ２・・・短脚部、Ｇ・・・軸体、Ｇ１・・・頂部、Ｇ２・・・軸孔、Ｇ３・・・軸部、Ｇ４・・・係止突起、Ｇ５・・・軸カム、Ｂ・・・板ばね、Ｂ１・・・板ばね凹部、Ｓ・・・シリンダー錠、ＳＰ・・・シリンダープラグ、ＳＰ１・・・貫通孔、ＳＰ１ａ・・・摺動溝、ＳＰ２・・・嵌入孔、ＳＰ３・・・スリット、ＳＰ４・・・差込孔、ＳＰ５・・・取付孔、ＳＰ６・・・摺動用凸部、ＳＰ７・・・ディスクタンブラー、Ｐ・・・ストッパーピン、Ｐｂ・・・ばね材、Ｋ・・・開錠キー、１０・・・表面体、１１・・・嵌入孔、１２・・・凹部、１３、１４・・・丸棒、１５・・・開口、２０・・・裏面体、２１・・・嵌入孔、２２・・・凹部、２３、２４・・・組立用孔、２５・・・開口、２６・・・取付孔、２６ａ・・・連通孔、３０・・・本体部、３１・・・一側、３２・・・他側